(57)【要約】【課題】利便性を考慮した保育園の検索。【解決手段】一時利用者の端末装置０１０９から保育園一時利用の問い合わせがあったとき、一時保育管理部０１０７が、ＧＰＳ位置を起点とした利用者指定の検索範囲と一時利用者の所在地情報を取得し、保育施設マスタテーブルに登録されている保育園の所在地情報を取得し、取得した保育園及び一時利用者所在地情報の距離を算出し、該算出した距離が利用者指定検索範囲内か否かを判定し、利用者指定検索範囲内と判定したとき、保育園の所在地情報と一時利用者の所在地情報との相対位置を表示する地図情報を一時利用者端末装置に送信し、前記算出距離が利用者指定検索範囲外のとき、利用者指定検索範囲を増加した増加検索範囲を用いた再検索を行う保育園運営支援サービスシステム。【選択図】図１
2015036846.tif 000002
【特許請求の範囲】
【請求項１】
園児の登園及び降園を入力する登園記録部に接続された保育園コンピュータと、保育園に通園している利用者が使用する利用者端末装置と、保育園の一時利用を希望する利用者が使用するＧＰＳ機能付の一時利用者端末装置とにインターネットを介して接続され、園児の通園状況を管理する通園状況管理部と、一時保育利用の際の空き状況の検索や申込みを管理する一時保育管理部と、各種情報を格納するデータベースとを備えたサーバとを備え、該データベースが、保育園に登録されている園児情報を格納する園児テーブルと、園児の登降園履歴情報を格納する登降園履歴テーブルと、園児の日付毎の出欠予定情報を格納する出欠予定テーブルと、園児の出欠予定情報を登録するウェブサイトのＵＲＬを格納する出欠登録ＵＲＬテーブルと、保育園の過去一時利用の園児情報を格納する一時保育利用者テーブルと、保育園の一時利用履歴情報を格納する一時保育申込み履歴テーブルと、複数保育園の所在地情報を格納する保育施設マスタテーブルと、保育園を検索する起点からの半径上限値を格納する上限半径テーブルとを備える保育園運営支援サービスシステムであって、
前記通園状況管理部が、
前記登園記録部により入力した園児の登降園履歴情報を保育園コンピュータを用いて登降園履歴テーブルに格納する第１工程と、
前記利用者端末装置がインターネットを介して入力した園児の日付毎の出欠予定情報出欠予定テーブルに格納する第２工程とを実行し、
前記一時保育管理部が、前記一時利用者端末装置から保育園一時利用の問い合わせがあったとき、
前記一時利用者端末装置から入力された一時保育利用者ＩＤと利用日付と利用開始時刻と利用終了時刻と一時利用者端末装置のＧＰＳ位置を起点とした利用者指定の検索範囲と一時利用者の所在地情報を取得する第３工程と、
前記保育施設マスタテーブルに登録されている保育園の所在地情報を取得する第４工程と、
該第４工程により取得した保育園の所在地情報と一時利用者の所在地情報の距離を算出する第５工程と、
該第５工程により算出した距離が利用者指定検索範囲内か否かを判定する第６工程と、
該第６工程により算出距離が利用者指定検索範囲内と判定したとき、前記第４工程により取得した保育園の所在地情報と一時利用者の所在地情報との相対位置を表示する地図情報を一時利用者端末装置に送信する第７工程と、
前記第６工程により算出距離が利用者指定の検索範囲外と判定したとき、前記利用者指定の検索範囲を所定距離だけ増加した増加検索範囲を用いた第６工程に戻る第８工程とを実行することを特徴とする保育園運営支援サービスシステム。
【請求項２】
前記一時保育管理部が、前記第７工程による保育園の所在地情報と一時利用者の所在地情報との相対位置を表示する地図情報上に一時利用者端末装置のＧＰＳ位置から最も近い保育園を赤色表示し、他の保育園を他色表示することを特徴とする請求項１記載の保育園運営支援サービスシステム。
【請求項３】
前記一時保育管理部が、第６工程により算出距離が利用者指定検索範囲内と判定した保育園が、前記一時保育申込み履歴テーブルを参照して一時利用者が過去に保育園を利用したか否かを判定し、過去利用したと判定したとき、前記第７工程による表示する保育園を点滅表示させることを特徴とする請求項１又は２記載の保育園運営支援サービスシステム。
【請求項４】
園児の登園及び降園を入力する登園記録部に接続された保育園コンピュータと、保育園に通園している利用者が使用する利用者端末装置と、保育園の一時利用を希望する利用者が使用するＧＰＳ機能付の一時利用者端末装置とにインターネットを介して接続され、園児の通園状況を管理する通園状況管理部と、一時保育利用の際の空き状況の検索や申込みを管理する一時保育管理部と、各種情報を格納するデータベースとを備えたサーバとを備え、該データベースが、保育園に登録されている園児情報を格納する園児テーブルと、園児の登降園履歴情報を格納する登降園履歴テーブルと、園児の日付毎の出欠予定情報を格納する出欠予定テーブルと、園児の出欠予定情報を登録するウェブサイトのＵＲＬを格納する出欠登録ＵＲＬテーブルと、保育園の過去一時利用の園児情報を格納する一時保育利用者テーブルと、保育園の一時利用履歴情報を格納する一時保育申込み履歴テーブルと、複数保育園の所在地情報を格納する保育施設マスタテーブルと、保育園を検索する起点からの半径上限値を格納する上限半径テーブルとを備えるコンピュータシステムの保育園運営支援サービス方法であって、
前記通園状況管理部に、
前記登園記録部により入力した園児の登降園履歴情報を保育園コンピュータを用いて登降園履歴テーブルに格納する第１工程と、
前記利用者端末装置がインターネットを介して入力した園児の日付毎の出欠予定情報出欠予定テーブルに格納する第２工程とを実行させ、
前記一時保育管理部に、前記一時利用者端末装置から保育園一時利用の問い合わせがあったとき、
前記一時利用者端末装置から入力された一時保育利用者ＩＤと利用日付と利用開始時刻と利用終了時刻と一時利用者端末装置のＧＰＳ位置を起点とした利用者指定の検索範囲と一時利用者の所在地情報を取得する第３工程と、
前記保育施設マスタテーブルに登録されている保育園の所在地情報を取得する第４工程と、
該第４工程により取得した保育園の所在地情報と一時利用者の所在地情報の距離を算出する第５工程と、
該第５工程により算出した距離が利用者指定検索範囲内か否かを判定する第６工程と、
該第６工程により算出距離が利用者指定検索範囲内と判定したとき、前記第４工程により取得した保育園の所在地情報と一時利用者の所在地情報との相対位置を表示する地図情報を一時利用者端末装置に送信する第７工程と、
前記第６工程により算出距離が利用者指定の検索範囲外と判定したとき、前記利用者指定の検索範囲を所定距離だけ増加した増加検索範囲を用いた第６工程に戻る第８工程とを実行させることを特徴とする保育園運営支援サービス方法。
【請求項５】
前記一時保育管理部に、前記第７工程による保育園の所在地情報と一時利用者の所在地情報との相対位置を表示する地図情報上に一時利用者端末装置のＧＰＳ位置から最も近い保育園を赤色表示させ、他の保育園を他色表示させることを特徴とする請求項４記載の保育園運営支援サービス方法。
【請求項６】
前記一時保育管理部に、第６工程により算出距離が利用者指定検索範囲内と判定した保育園が、前記一時保育申込み履歴テーブルを参照して一時利用者が過去に保育園を利用したか否かを判定し、過去利用したと判定したとき、前記第７工程による表示する保育園を点滅表示させることを特徴とする請求項４又は５記載の保育園運営支援サービス方法。
【発明の詳細な説明】
【技術分野】
【０００１】
本発明は、保育施設又は保育園に対する在園児の登園状況把握と一時保育利用検索のナビゲーションによる一時保育の利用を促進することができる保育園運営支援サービスシステム及び保育園運営支援サービス方法に係り、特にＩＣタグ及びインターネット等を介したＷｅｂ入力により職員を介さずに在園児の登園状況を把握し、一時保育利用希望者の位置情報に基づいて利用者の希望する半径以内に所在する保育園の空き状況を検索し、一時保育可能な保育園を検索することができる保育園運営支援サービスシステム及び保育園運営支援サービス方法に関する。
【背景技術】
【０００２】
近年、女性の社会進出の増加によって恒常的又は一時的に子供を保育園等の保育園にて預かって欲しいという社会的ニーズが増しているが、利用者が保育園を探すためには一般には近隣の一時保育を実施している保育園を探し、各保育園へ空き状況を電話等で問合せる必要があり、保育園の職員にとっても、稼働率をあげるために一時保育の利用者を増やしたいというニーズを有するものの、希望者の子供を預かれるか否かを在園児の希望日の出欠状況により判定する必要があるため、問合せの対応に時間を要するものであった。
【０００３】
尚、保育園の利用を促進するコンピュータシステム技術が記載された文献としては、下記の特許文献が挙げられ、下記特許文献１には、園児等の出入りをカードリーダーにより把握し、対話型ディスプレイにより利用者の負荷を軽減する技術が記載され、下記特許文献２には、保育を希望する保護者と保育園を仲介するシステムにおいて保護者の要望情報を保育園にネットワークを介して公開し、保育園から応答を得る技術が記載されている。
【先行技術文献】
【特許文献】
【０００４】
【特許文献１】特開２００４−１７１１９５号公報
【特許文献２】特開２００２−２５９７２８号公報
【発明の概要】
【発明が解決しようとする課題】
【０００５】
前述の特許文献１に記載の技術は、時々刻々と変化する園児等の出入りをカードリーダーを用いて把握することができ、特許文献２記載の技術は、保護者の要望情報を保育園にネットワークを介して公開することができるものの、利用者が自宅や通勤駅等からの距離や交通手段等の利便性の良い保育園を探していることが前提となっており、利用者が利便性を考慮した保育園を探すことは考慮されていないという不具合があった。
【０００６】
本発明の目的は、前述の従来技術による課題を解決しようとするものであり、利用者の利便性を考慮した保育園を容易に検索することができる保育園運営支援サービスシステム及び保育園運営支援サービス方法を提供することである。
【課題を解決するための手段】
【０００７】
前記目的を達成するため本発明は、園児の登園及び降園を入力する登園記録部に接続された保育園コンピュータと、保育園に通園している利用者が使用する利用者端末装置と、保育園の一時利用を希望する利用者が使用するＧＰＳ機能付の一時利用者端末装置とにインターネットを介して接続され、園児の通園状況を管理する通園状況管理部と、一時保育利用の際の空き状況の検索や申込みを管理する一時保育管理部と、各種情報を格納するデータベースとを備えたサーバとを備え、該データベースが、保育園に登録されている園児情報を格納する園児テーブルと、園児の登降園履歴情報を格納する登降園履歴テーブルと、園児の日付毎の出欠予定情報を格納する出欠予定テーブルと、園児の出欠予定情報を登録するウェブサイトのＵＲＬを格納する出欠登録ＵＲＬテーブルと、保育園の過去一時利用の園児情報を格納する一時保育利用者テーブルと、保育園の一時利用履歴情報を格納する一時保育申込み履歴テーブルと、複数保育園の所在地情報を格納する保育施設マスタテーブルと、保育園を検索する起点からの半径上限値を格納する上限半径テーブルとを備える保育園運営支援サービスシステムであって、
前記通園状況管理部が、
前記登園記録部により入力した園児の登降園履歴情報を保育園コンピュータを用いて登降園履歴テーブルに格納する第１工程と、
前記利用者端末装置がインターネットを介して入力した園児の日付毎の出欠予定情報出欠予定テーブルに格納する第２工程とを実行し、
前記一時保育管理部が、前記一時利用者端末装置から保育園一時利用の問い合わせがあったとき、
前記一時利用者端末装置から入力された一時保育利用者ＩＤと利用日付と利用開始時刻と利用終了時刻と一時利用者端末装置のＧＰＳ位置を起点とした利用者指定の検索範囲と一時利用者の所在地情報を取得する第３工程と、
前記保育施設マスタテーブルに登録されている保育園の所在地情報を取得する第４工程と、
該第４工程により取得した保育園の所在地情報と一時利用者の所在地情報の距離を算出する第５工程と、
該第５工程により算出した距離が利用者指定検索範囲内か否かを判定する第６工程と、
該第６工程により算出距離が利用者指定検索範囲内と判定したとき、前記第４工程により取得した保育園の所在地情報と一時利用者の所在地情報との相対位置を表示する地図情報を一時利用者端末装置に送信する第７工程と、
前記第６工程により算出距離が利用者指定の検索範囲外と判定したとき、前記利用者指定の検索範囲を所定距離だけ増加した増加検索範囲を用いた第６工程に戻る第８工程とを実行することを第１の特徴とする。
【０００８】
また、本発明は、第１の特徴の保育園運営支援サービスシステムにおいて、前記一時保育管理部が、前記第７工程による保育園の所在地情報と一時利用者の所在地情報との相対位置を表示する地図情報上に一時利用者端末装置のＧＰＳ位置から最も近い保育園を赤色表示し、他の保育園を他色表示することを第２の特徴とし、前記何れかの特徴の保育園運営支援サービスシステムにおいて、前記一時保育管理部が、第６工程により算出距離が利用者指定検索範囲内と判定した保育園が、前記一時保育申込み履歴テーブルを参照して一時利用者が過去に保育園を利用したか否かを判定し、過去利用したと判定したとき、前記第７工程による表示する保育園を点滅表示させることを第３の特徴とする。
【０００９】
また、本発明は、園児の登園及び降園を入力する登園記録部に接続された保育園コンピュータと、保育園に通園している利用者が使用する利用者端末装置と、保育園の一時利用を希望する利用者が使用するＧＰＳ機能付の一時利用者端末装置とにインターネットを介して接続され、園児の通園状況を管理する通園状況管理部と、一時保育利用の際の空き状況の検索や申込みを管理する一時保育管理部と、各種情報を格納するデータベースとを備えたサーバとを備え、該データベースが、保育園に登録されている園児情報を格納する園児テーブルと、園児の登降園履歴情報を格納する登降園履歴テーブルと、園児の日付毎の出欠予定情報を格納する出欠予定テーブルと、園児の出欠予定情報を登録するウェブサイトのＵＲＬを格納する出欠登録ＵＲＬテーブルと、保育園の過去一時利用の園児情報を格納する一時保育利用者テーブルと、保育園の一時利用履歴情報を格納する一時保育申込み履歴テーブルと、複数保育園の所在地情報を格納する保育施設マスタテーブルと、保育園を検索する起点からの半径上限値を格納する上限半径テーブルとを備えるコンピュータシステムの保育園運営支援サービス方法であって、
前記通園状況管理部に、
前記登園記録部により入力した園児の登降園履歴情報を保育園コンピュータを用いて登降園履歴テーブルに格納する第１工程と、
前記利用者端末装置がインターネットを介して入力した園児の日付毎の出欠予定情報出欠予定テーブルに格納する第２工程とを実行させ、
前記一時保育管理部に、前記一時利用者端末装置から保育園一時利用の問い合わせがあったとき、
前記一時利用者端末装置から入力された一時保育利用者ＩＤと利用日付と利用開始時刻と利用終了時刻と一時利用者端末装置のＧＰＳ位置を起点とした利用者指定の検索範囲と一時利用者の所在地情報を取得する第３工程と、
前記保育施設マスタテーブルに登録されている保育園の所在地情報を取得する第４工程と、
該第４工程により取得した保育園の所在地情報と一時利用者の所在地情報の距離を算出する第５工程と、
該第５工程により算出した距離が利用者指定検索範囲内か否かを判定する第６工程と、
該第６工程により算出距離が利用者指定検索範囲内と判定したとき、前記第４工程により取得した保育園の所在地情報と一時利用者の所在地情報との相対位置を表示する地図情報を一時利用者端末装置に送信する第７工程と、
前記第６工程により算出距離が利用者指定の検索範囲外と判定したとき、前記利用者指定の検索範囲を所定距離だけ増加した増加検索範囲を用いた第６工程に戻る第８工程とを実行させることを第４の特徴とする。
【００１０】
また、本発明は、第４の特徴の保育園運営支援サービス方法において、前記一時保育管理部に、前記第７工程による保育園の所在地情報と一時利用者の所在地情報との相対位置を表示する地図情報上に一時利用者端末装置のＧＰＳ位置から最も近い保育園を赤色表示させ、他の保育園を他色表示させることを第５の特徴とし、前記何れかの特徴の保育園運営支援サービス方法において、前記一時保育管理部に、第６工程により算出距離が利用者指定検索範囲内と判定した保育園が、前記一時保育申込み履歴テーブルを参照して一時利用者が過去に保育園を利用したか否かを判定し、過去利用したと判定したとき、前記第７工程による表示する保育園を点滅表示させることを第６の特徴とする。
【発明の効果】
【００１１】
本発明による保育園運営支援サービスシステム及び保育園運営支援サービス方法は、一時利用者端末装置から保育園一時利用の問い合わせがあったとき、一時利用者端末装置のＧＰＳ位置を起点とした利用者指定の検索範囲と一時利用者の所在地情報を取得し、保育施設マスタテーブルに登録されている保育園の所在地情報を取得し、前記取得した保育園及び一時利用者の所在地情報の距離を算出し、該算出した距離が利用者指定検索範囲内と判定したとき、保育園の所在地情報と一時利用者の所在地情報との相対位置を表示する地図情報を一時利用者端末装置に送信し、前記算出距離が利用者指定の検索範囲外のとき、利用者指定検索範囲を増加した増加検索範囲を用いた再検索を行うため、利用者の利便性を考慮した保育園を容易に検索することができる。
【図面の簡単な説明】
【００１２】
【図１】本発明の実施形態による保育園運営支援サービスシステムを含むコンピュータシステム示す図。
【図２】本実施形態による園児テーブル構成を示す図。
【図３】本実施形態による登降園テーブル構成を示す図。
【図４】本実施形態による出欠予定テーブル構成を示す図。
【図５】本実施形態による出欠登録ＵＲＬテーブル構成を示す図。
【図６】本実施形態による一時保育利用者テーブル構成を示す図。
【図７】本実施形態による一時保育申込み履歴テーブル構成を示す図。
【図８】本実施形態による保育施設マスタテーブル構成を示す図。
【図９】本実施形態による上限半径テーブル構成を示す図。
【図１０Ａ】本発実施形態による登園記録の登録機能処理フローを示す図。
【図１０Ｂ】本発実施形態による登園記録の登録機能処理フローを示す図。
【図１１】本実施形態による通園状況管理の登録確認機能処理フローを示す図。
【図１２Ａ】本実施形態による一時保育の空き状況照会機能処理フローを示す図。
【図１２Ｂ】本実施形態による一時保育の空き状況照会機能処理フローを示す図。
【図１２Ｃ】本実施形態による一時保育の空き状況照会機能処理フローを示す図。
【図１３】本実施形態による一時保育の空き状況照会機能処理フローを示す図。
【図１４】本実施形態による一時保育の空き状況照会機能処理フローを示す図。
【図１５】本実施形態による一時保育申込み機能処理フローを示す図。
【図１６】本実施形態による通園状況出欠登録機能処理フローを示す図。
【図１７】本実施形態による登園記録機能の表示画面例を示す図。
【図１８】本実施形態による通園状況機能の登園状況登録の表示画面例を示す図。
【図１９】本実施形態による一時保育の検察結果の表示画面例を示す図。
【図２０】本実施形態による一時保育申込み結果の表示画面例を示す図。
【図２１】本実施形態によるワークエリアＡ（無線タグ）の定義を示す図。
【図２２】本実施形態によるワークエリアＢ（園児情報）の定義を示す図。
【図２３】本実施形態によるワークエリアＣ（登降園モード）の定義を示す図。
【図２４】本実施形態によるワークエリアＤ（メールアドレス）の定義を示す図。
【図２５】本実施形態によるワークエリアＥ（一時利用情報）の定義を示す図。
【図２６】本実施形態によるワークエリアＦ（保育園情報）の定義を示す図。
【図２７】本実施形態によるワークエリアＧ（距離情報）の定義を示す図。
【図２８】本実施形態によるワークエリアＨ（遅刻早退情報）の定義を示す図。
【図２９】本実施形態によるワークエリアＩ（一時保育情報）の定義を示す図。
【図３０】本実施形態によるワークエリアＪ（一時保育情報）の定義を示す図。
【図３１】本実施形態によるワークエリアＫ（半径情報）の定義を示す図。
【図３２】本実施形態によるワークエリアＬ（上限半径情報）の定義を示す図。
【図３３】本実施形態によるワークエリアＭ（判定フラグ）の定義を示す図。
【図３４】本実施形態によるワークエリアＮ（一時保育情報）の定義を示す図。
【図３５】本実施形態によるワークエリアＯ（園児出欠情報）の定義を示す図。
【図３６】本実施形態によるワークエリアＰ（一時保育予定情報）の定義を示す図。
【図３７】本実施形態によるワークエリアＱ（園児出欠予定情報）の定義を示す図。
【発明を実施するための形態】
【００１３】
以下、本発明による保育園運営支援サービス方法を採用した保育園運営支援サービスシステムの一実施形態を図面を参照して詳細に説明する。
［構成］
本実施形態による保育園運営支援サービスシステムを含むコンピュータシステムは、図１に示す如く、保育園のＲＦＩＤリーダ等の登園記録部０１０２に接続されたコンピュータ０１０１と通園者の両親等が使用するコンピュータやＧＰＳ機能付スマートフォン等の端末装置０１０８と一時利用を希望する児童の両親等が使用するコンピュータやＧＰＳ機能付スマートフォン等の端末装置０１０９とインターネットを介して接続され、園児の通園状況を管理する通園状況管理部０１０６と、一時保育利用の際の空き状況の検索や申込みを処理する一時保育管理部０１０７と、園児テーブル０２０１（図２）と登降園履歴テーブル０３０１（図３）と出欠予定テーブル０４０１（図４）と出欠登録ＵＲＬテーブル０５０１（図５）と一時保育利用者テーブル０６０１（図６）と一時保育申込み履歴テーブル０７０１（図７）と保育施設マスタテーブル０８０１（図８）と上限半径テーブル０９０１（図９）を格納するデータベース０１０５とを備えたサーバ０１０４とを備える。
【００１４】
前記園児テーブル０２０１は、図２（ａ）に示す如く保育園に登録済みの園児情報（園児ＩＤ、ユニークＩＤ、園児名、性別、保護者名、メールアドレス）を格納し、登降園履歴テーブル０３０１は、図３（ａ）に示す如く、当日の園児の登園状況情報（園児ＩＤ、登園日時、降園日時）を格納し、出欠予定テーブル０４０１は、図４（ａ）に示す如く、園児の出欠遅刻早退予定情報（園児ＩＤ、出欠予定日、出欠種別、遅刻早退時刻、保育施設ＩＤ）を格納し、出欠登録ＵＲＬテーブル０５０１は、図５（ａ）に示す如く、保護者が園児の出欠をインターネットを介して登録するためのＵＲＬを格納し、一時保育利用者テーブル０６０１は、図６（ａ）に示す如く、保育園を一時的利用者情報（一時保育利用者ＩＤ、利用園児名、利用者保護者名）を格納し、一時保育申込み履歴テーブル０７０１は、図７（ａ）に示す如く、一時保育申し込みの履歴情報（利用日付、利用開始時刻、利用終了時刻、一時利用者ＩＤ、保育施設ＩＤ）を格納し、保育施設マスタテーブル０８０１は、図８（ａ）に示す如く、保育施設の場所に関する位置情報（保育施設ＩＤ、保育施設名、保育施設緯度、保育施設経度を含む所在地情報）を格納し、上限半径テーブル０９０１は、図９（ａ）に示す如く、利用者の自宅を中心として保育施設の検索対象半径情報（上限半径）を格納するものであり、これら図２〜図９における具体的データ例は各図（ｂ）に示す通りである。
【００１５】
また、前記サーバ０１０４は、コンピュータの記憶領域として複数のワークエリアを有し、図２１に示す無線タグ番号を一時的に格納するワークエリアＡと、図２２に示す園児情報を一時的に格納するワークエリアＢと、図２３に示す登降園モードを一時的に格納するワークエリアＣと、図２４に示すメールアドレスを一時的に格納するワークエリアＤと、図２５に示す一時利用情報を一時的に格納するワークエリアＥと、図２６に示す保育施設情報を一時的に格納するワークエリアＦと、図２７に示す距離情報一時的に格納するワークエリアＧと、図２８に示す遅刻早退情報を一時的に格納するワークエリアＨと、図２９に示す一時保育情報を一時的に格納するワークエリアＩと、図３０に示す一時保育情報を一時的に格納するワークエリアＪと、図３１に示す半径情報を一時的に格納するワークエリアＫと、図３２に示す上限半径情報を一時的に格納するワークエリアＬと、図３３に示す一時保育申し込みの判定フラグを一時的に格納するワークエリアＭと、図３４に示す一時保育情報を一時的に格納するワークエリアＮと、図３５に示す園児出欠情報を一時的に格納するワークエリアＯと、図３６に示す一時保育予定情報を一時的に格納するワークエリアＰと、図３７に示す園児出欠予定情報を一時的に格納するワークエリアＱとをメモリ上に確保している。
【００１６】
［動作］
このように構成された保育園運営支援サービスシステムの動作を次に説明する。
［登降園登録機能］
本実施形態による保育園運営支援サービスシステムは、登降園登録機能を実行するとき、図１０Ａに示す如く、ワークエリアＡ〜Ｃをクリアするステップ１００１〜１００３と、保育園に設置された登園記録部０１０２が読み取ったＩＣタグのユニークＩＤを取得し、ワークエリアＡに格納するステップ１００４と、登園記録部０１０２による読み取り時の設定された登降園モードを取得し、ワークエリアＣに格納するステップ１００５と、登園記録部０１０２が設置されているコンピュータ０１０１の保育施設ＩＤを取得し、ワークエリアＢの保育施設ＩＤに格納するステップ１００６と、ワークエリアＡから園児ＩＤを取り出し、園児テーブル０２０１から同じ園児ＩＤを持つ園児を検索するステップ１００７と、園児テーブル０２０１の園児ＩＤをワークエリアＢの園児ＩＤに、園児名の値を園児名に、性別の値を性別に格納するステップ１００８と、ワークエリアＣに格納されている登降園モードの値が「登園」か否かをか判定するステップ１００９と、該ステップ１００９により登降園モードの値が「登園」と判定したとき、ワークエリアＢから園児ＩＤを取り出し、登降園履歴テーブルの園児ＩＤ列に園児ＩＤを、登園日時列に現在日時を登録するステップ１０１０と、前記ステップ１００９により登降園モードの値が「登園」でないと判定したとき、ワークエリアＢから園児ＩＤを取り出し、登降園履歴テーブルの園児ＩＤ列に園児ＩＤを降園日時列に現在日時を登録するステップ１０１１を実行する。
【００１７】
次いで本保育園運営支援サービスシステムは、図１０Ｂに示す如く、前記ステップ１０１０の処理に続き、ワークエリアＢから性別を取り出し、その値が「男」か否かを判定するステップ１０１２と、該ステップ１０１２により「男」と判定したとき、表示端末にワークエリアＢから取り出した［園児名＋くん＋改行＋登園時刻を記録しました］旨を表示するステップ１０１３と、前記ステップ１０１２により「男」でないと判定したとき、表示端末にワークエリアＢから取り出した［園児名＋さん＋改行＋登園時刻を記録しました］を表示するステップ１０１４と、前記ステップ１０１１に続き、ワークエリアＢから性別を取り出し、その値が「男」か否かを判定するステップ１０１５と、該ステップ１０１５により「男」と判定したとき、表示端末にワークエリアＢから取り出した［園児名＋くん＋改行＋降園時刻を記録しました］を表示するステップ１０１６と、前記ステップ１０１５により「男」でないと判定したとき、表示端末にワークエリアＢから取り出した［園児名＋さん＋改行＋降園時刻を記録しました］を表示するステップ１０１７とを実行することによって、児童が登園及び降園したことを登園記録部０１０２を用いて検出し、図１７に示す如く登園及び降園時刻を記録したことを性別に応じた敬称により表示することができる。
【００１８】
［登降確認機能］
次に本実施形態による保育園運営支援サービスシステムは、登降確認機能を実行するとき、図１１に示す如く、ワークエリアＤをクリアするステップ１１０１と、条件「園児テーブル０２０１に登録のある園児」、「登降園履歴テーブル０３０１に今日の日付で登園日時の登録がない」、「出欠予定テーブル０４０１の出欠種別に今日の日付で欠席の登録がされていない」を満たす園児を検索するステップ１１０２と、該ステップ１１０２による検索結果が１件以上ヒットしたか否かを判定し、ヒットしないと判定したときに処理を終了するステップ１１０３と、該ステップ１１０３において１件以上ヒットしたと判定したとき、園児テーブル０２０１のメールアドレスをワークエリアＤのメールアドレスに格納するステップ１１０４と、出欠登録ＵＲＬテーブル０５０１から取得した値をワークエリアＤの出欠登録ＵＲＬに格納するステップ１１０５と、ワークエリアＤから取り出したメールアドレス宛てに［まだ登園されていませんが、登園状況を以下のＵＲＬより登録してください。＋改行＋ワークエリアＤから取り出した出欠登録ＵＲＬ］を送信するステップ１１０６と、前記ステップ１１０２で取得した園児情報のうち、未処理のレコードがあるか否かを判定し、未処理のレコードが有ると判定したときに前記ステップ１１０４に戻り、未処理のレコードがないと判定したときに処理を終了するステップ１１０７とを実行することによって、園児の登園を確認し、未登園園児の保護者宛に確認のメールを送信することができる。図１８に通園状況管理機能の登園状況登録画面の表示例を示す。
【００１９】
［一時保育管理の空き状況照会機能］
次に本実施形態による保育園運営支援サービスシステムは、一時保育管理部０１０７の空き状況照会機能を実行するとき、図１２Ａに示す如く、ワークエリアＥ〜Ｍをクリアする１２０１〜１２０９と、スマートフォン等の端末装置から入力された一時保育利用者ＩＤと利用日付と利用開始時刻と利用終了時刻と（検索範囲）半径と利用者の所在地緯度と経度を取得し、ワークエリアＥに格納するするステップ１２１０と、保育施設マスタテーブル０８０１から登録されている保育施設を全件取得するステップ１２１１と、該ステップ１２１１の検索結果が１件以上ヒットしたか否かを判定するステップ１２１２と、該ステップ１２１２により１件以上ヒットしたと判定したとき、前記ステップ１２１２によりで取得したレコードをワークエリアＦに保育施設ＩＤと保育施設名と保育施設緯度と保育施設経度を格納するステップ１２１３と、ワークエリアＥの利用者緯度と経度とワークエリアＦの保育施設緯度と経度の距離を計算し、ワークエリアＧにその距離を格納するステップ１２１４と、ワークエリアＧに格納されている距離がワークエリアＥに格納された第１の所定半径（所定距離）以下か否かを判定するステップ１２１５とを実行する。
【００２０】
次いで本システムは、図１２Ｂに示す如く、ステップ１２１５によりワークエリアＧに格納されている距離がワークエリアＥに格納された半径以下と判定したとき、ワークエリアＦにワークエリアＧの半径を格納するステップ１２１６と、条件「保育施設ＩＤがワークエリアＦの保育施設ＩＤと同じ」、「出欠種別が［欠席］」、「出欠予定日がワークエリアＥの予定日付と同じ日付」を満たす出欠予定を出欠予定テーブル０４０１から検索するステップ１２１７と、条件「利用日付がワークエリアＥの利用日付と同じ」、「保育施設ＩＤがワークエリアＦの保育施設ＩＤと同じ」を満たす一時保育申込み履歴を一時保育申込み履歴テーブル０７０１から検索するステップ１２１８と、ワークエリアＨに格納されているレコード数がワークエリアＩに格納されているレコード数より１つ以上多いか否かを判定するステップ１２１９と、該ステップ１２１９によりワークエリアＨのレコード数がワークエリアＩのレコード数より１つ以上多いと判定したとき、条件「保育施設ＩＤがワークエリアＦの保育施設ＩＤと同じ」、「一時保育利用者ＩＤがワークエリアＥの一時保育利用者ＩＤと同じ」、「利用日付が本日以前である」を満たす一時保育申込み履歴を一時保育申込み履歴テーブル０７０１からより検索し、ワークエリアＪに格納するステップ１２２０と、該ステップ１２２０によりワークエリアＪに格納したレコード数が１つ以上であるか否かを判定するステップ１２２１と、該ステップ１２２１によりワークエリアＪのレコード数が１つ以上でないと判定したとき、ワークエリアＦの過去利用実績にＴｒｕｅを（真）格納するステップ１２２２とを実行する。
【００２１】
更に本システムは、図１２Ｃに示す如く、前記ステップ１２２１によりワークエリアＪのレコード数が１つ以上であると判定したとき、ワークエリアＦの該当可否にＴｒｕｅ（真）を格納し、図１２Ａのステップ１２１２及び図１２Ｂのステップ１２１９の判定がＮｏであると判定したとき、前記図１２Ａのステップ１２１３に戻るステップ１２２４と、ワークエリアＦの該当可否がＴｒｕｅのレコード数が１つ以上あるか否かを判定するステップ１２２５と、該ステップ１２２５によりＴｒｕｅのレコード数が１つ以上あると判定したとき、ワークエリアＭの値がＦａｌｓｅ（偽）であるか否か（一時保育申し込みの判定フラグ）を判定するステップ１２２６と、該ステップ１２２６によりワークエリアＭの値がＦａｌｓｅ（偽：申し込み不可）であると判定したとき、ワークエリアＦに格納されているレコードに対し、該当可否がＴｒｕｅであるか判定するステップ１２２７と、該ステップ１２２７において該当可否がＴｒｕｅであると判定したとき、利用者のスマートフォン等の端末装置０１０９の地図上にワークエリアＥの緯度および経度に基づいて位置をプロットし、「現在地」と表示させるステップ１２２８と、該表示した地図上にワークエリアＦの緯度及び経度に基づいてグレーの円にて位置をプロットし、保育施設名を表示させるステップ１２２９と、ワークエリアＦの過去利用実績の値がＴｒｕｅの場合は、円を点滅表示に変更するステップ１２３０と、ワークエリアＦに格納されているレコードのうち、未処理のレコードがあるときステップ１２２７の処理に戻り、該ステップ１２２７において該当可否がＴｒｕｅでないと判定したとき、ワークエリアＦの半径の値が最も「現在地」に近いレコードの緯度および経度の円を、グレーから赤色に変更するステップ１２３１とを実行することによって、一時利用者は、一時保育管理部０１０７により保育園の空き状況を照会することができる。この一時保育管理機能による検索結果画面は図１９（ａ）及び（ｂ）に示す如く表示される。
【００２２】
このように本実施形態においては、一時保育の利用可否を検索した後利用者の画面に表示する際、利用者の現在地より最も近い保育園を赤色の丸で表示し、それ以外の保育園をグレーの丸で表示すると共に、利用者が過去に利用したことのある保育園だった場合は丸を点滅表示させることによって、利用者に直感的に保育園までの距離の近さや過去の利用実績を把握させることができ、利便性を向上させることができる。
【００２３】
［検索エリア拡大機能］
次いで、本実施形態による保育園運営支援サービスシステムは、前記図１２Ｃのステップ１２２５においてワークエリアＦの該当可否がＴｒｕｅのレコード数が１つ以上でない（当初条件の半径内に空き保育園がない場合）と判定したとき、図１３に示す如く、ワークエリアＥに格納されている半径をワークエリアＫに格納するステップ１３０１と、ワークエリアＥに格納されている半径に１００ｍ追加するステップ１３０２と、上限半径テーブルから上限半径の値を取得し、ワークエリアＬに格納するステップ１３０３と、ワークエリアＥに格納されている半径がワークエリアＬに格納されている上限半径以下か否かを判定し、上限半径以下でないと判定したときに図１２Ｃの戻って処理を終了するステップ１３０４と、該ステップ１３０４により上限半径以下かと判定したとき、ワークエリアＭにＴｒｕｅを格納し、図１２Ａのステップ１２１５に戻って再検索を実行するステップ１３０４とを実行することによって、上限範囲内で検索半径を拡大しながら空き保育園を検索することができる。
【００２４】
［一時保育可通知機能］
本システムは、図１２Ｃのステップ１２２６においてワークエリアＭの値がＦａｌｓｅ（偽）でない（一時保育申し込みの判定フラグが可）と判定したとき、図１４に示す如く、利用者のスマートフォン等の端末装置０１０９の地図上に、［半径＋ワークエリアＫの値＋ｍ以内で検索＋改行＋該当件数：０件＋改行＋改行＋半径＋ワークエリアＥにの値＋以内であれば、該当する保育園が＋ワークエリアＦのレコード数＋園ありました。］と表示し、図１２Ｃに戻って処理を終了させるステップ１４０１を実行する。
【００２５】
［一時保育可申し込み通知機能］
本保育園運営支援サービスシステムは、一時保育管理部０１０７が一時保育申込み機能を実行するとき、ワークエリアＮ〜ワークエリアＰをクリアするステップ１５０１〜１５０３と、利用者の端末装置から取得した保育施設ＩＤと一時保育利用者ＩＤと利用日付と利用開始時刻と終了時刻をワークエリアＮに格納するステップ１５０４と、条件「出欠種別が［欠席］」、「出欠予定テーブルの出欠予定日がワークエリアＮの予定日付と同じ日付」を満たす出欠予定を出欠予定テーブル０４０１から検索し、ワークエリアＯに格納するステップ１５０５と、一時保育申込み履歴テーブル０７０１から利用日付がワークエリアＮの利用日付と同じ日付のレコードを検索し、ワークエリアＰに格納するステップ１５０６と、ワークエリアＯに格納されているレコード数がワークエリアＰに格納されているレコード数より１つ以上多いか否かを判定するステップ１５０７と、該ステップ１５０７においてワークエリアＯのレコード数が多いと判定したとき、一時保育申込み履歴テーブル０７０１にワークエリアＮの値を登録するステップ１５０８と、利用者の端末装置に「一時保育の利用申込みを受付けました」と表示して処理を終了するステップ１５１０と、前記ステップ１５０７によりワークエリアＰのレコード数が多いと判定したとき、利用者の端末装置０１０９に「その日時は予約が出来ません。条件を変更して再度検索してください」と表示して処理を終了するステップ１５０９とを実行することによって、一時保育の申し込み結果を図２０（ａ）に示す如く（ｂ）に示す如く可否を利用者に通知することができる。
【００２６】
［出欠登録機能］
更に本実施形態による保育園運営支援サービスシステムは、通園状況管理部０１０６が、出欠登録機能を実行するとき、図１６に示す如く、ワークエリアＱをクリアするステップ１６０１と、利用者の端末装置０１０９から園児ＩＤと出欠予定日と出欠種別と遅刻早退時間と保育施設ＩＤを取得し、ワークエリアＱに格納するステップ１６０２と、出欠予定テーブル０４０１に前記ワークエリアＱに格納した値（情報）を登録するステップ１６０３とを実行することにより、園児の出欠を登録することができる。
【符号の説明】
【００２７】
０１０１  コンピュータ、０１０２  登園記録部、０１０４  サーバ、
０１０５  データベース、  ０１０６  通園状況管理部、
０１０７  一時保育管理部、０１０８及び０１０９  端末装置
【図１】
2015036846.tif 000003
【図２】
2015036846.tif 000004
【図３】
2015036846.tif 000005
【図４】
2015036846.tif 000006
【図５】
2015036846.tif 000007
【図６】
2015036846.tif 000008
【図７】
2015036846.tif 000009
【図８】
2015036846.tif 000010
【図９】
2015036846.tif 000011
【図１０Ａ】
2015036846.tif 000012
【図１０Ｂ】
2015036846.tif 000013
【図１１】
2015036846.tif 000014
【図１２Ａ】
2015036846.tif 000015
【図１２Ｂ】
2015036846.tif 000016
【図１２Ｃ】
2015036846.tif 000017
【図１３】
2015036846.tif 000018
【図１４】
2015036846.tif 000019
【図１５】
2015036846.tif 000020
【図１６】
2015036846.tif 000021
【図１７】
2015036846.tif 000022
【図１８】
2015036846.tif 000023
【図１９】
2015036846.tif 000024
【図２０】
2015036846.tif 000025
【図２１】
2015036846.tif 000026
【図２２】
2015036846.tif 000027
【図２３】
2015036846.tif 000028
【図２４】
2015036846.tif 000029
【図２５】
2015036846.tif 000030
【図２６】
2015036846.tif 000031
【図２７】
2015036846.tif 000032
【図２８】
2015036846.tif 000033
【図２９】
2015036846.tif 000034
【図３０】
2015036846.tif 000035
【図３１】
2015036846.tif 000036
【図３２】
2015036846.tif 000037
【図３３】
2015036846.tif 000038
【図３４】
2015036846.tif 000039
【図３５】
2015036846.tif 000040
【図３６】
2015036846.tif 000041
【図３７】
2015036846.tif 000042